(57)【要約】【課題】  見守りを行なう者とその対象者が遠く離れたところにいても対面型のコミュニケーションをとることができる見守りシステム、サーバ、見守り情報提供方法およびプログラムを提供する。【解決手段】  利用者の希望のサービス提供者を選択し、画像、音声およびＷｅｂコンテンツ共有データの少なくとも１つを相互に確認しながら対面型の見守りサービス行なう。【選択図】  図１
2006235978.tif 000002
【特許請求の範囲】
【請求項１】
ネットワークを介して接続されているユーザー端末と、提供者端末と、サーバと、を含む見守りシステムであって、
利用者の希望のサービス提供者を選択し、画像、音声およびＷｅｂコンテンツ共有データの少なくとも１つを相互に確認しながら対面型の見守りサービス行なうことを特徴とする見守りシステム。
【請求項２】
過去に利用したことがあれば、その時のデータを活用して、利用者の条件に適したサービス提供者を迅速に探すことを特徴とする請求項１記載の見守りシステム。
【請求項３】
ユーザー端末である携帯電話からライブのモニタ映像を取得することを特徴とする請求項１または２記載の見守りシステム。
【請求項４】
ネットワークを介して接続されているユーザー端末と、利用者の希望のサービス提供者を選択し、画像、音声およびＷｅｂコンテンツ共有データの少なくとも１つを相互に確認しながら対面型の見守りサービス行なうことを特徴とするサーバ。
【請求項５】
過去に利用したことがあれば、その時のデータを活用して、利用者の条件に適したサービス提供者を迅速に探すことを特徴とする請求項４記載のサーバ。
【請求項６】
ネットワークを介して接続されているユーザー端末と、提供者端末と、サーバと、を利用した見守り情報提供方法であって、
利用者の希望のサービス提供者を選択し、画像、音声およびＷｅｂコンテンツ共有データの少なくとも１つを相互に確認しながら対面型の見守りサービス行なうことを特徴とする見守り情報提供方法。
【請求項７】
過去に利用したことがあれば、その時のデータを活用して、利用者の条件に適したサービス提供者を迅速に探すことを特徴とする請求項６記載の見守り情報提供方法。
【請求項８】
ユーザー端末である携帯電話からライブのモニタ映像を取得することを特徴とする請求項６または７記載の見守り情報提供方法。
【請求項９】
利用者の希望のサービス提供者を選択させ、画像、音声およびＷｅｂコンテンツ共有データの少なくとも１つを相互に確認させる処理を実行することを特徴とするプログラム。
【請求項１０】
過去に利用したことがあれば、その時のデータを活用して、利用者の条件に適したサービス提供者を迅速に探させることを特徴とする請求項９記載のプログラム。
【請求項１１】
ユーザー端末である携帯電話からライブのモニタ映像を取得させることを特徴とする請求項９または１０記載のプログラム。
【発明の詳細な説明】
【技術分野】
【０００１】
本発明は、急な用事や諸般の事情で不在になり、同居している対象者の世話ができなくなったとき等に、利用者の代わりに、対象者の見守りサービスを提供する見守りシステム、サーバ、見守り情報提供方法およびプログラムに関する。
【背景技術】
【０００２】
従来、ベビーシッター斡旋業者がＷｅｂサイトでサービス利用情報提供している。
【０００３】
ここで、見守り担当業者の見守りサーバは、見守り対象者の行動検出情報を収集して対応する被連絡者及びサービス提供担当業者へ電子メールとして配信し、一方、サービス提供担当業者の管理用サーバは、配信されてくる検出情報の統計処理を行なうとともに解析判断を行ない、これら処理結果や解析判断結果を電子メールとして被連絡者宛に送信し、また、判断結果が異常の場合や被連絡者からの依頼に基づいて管理用データベースに格納されている各派遣員の現況情報から当該見守り対象者の居宅へ派遣可能な派遣員を検索抽出することで、見守りサービスのための見守り用サーバと、見守り対象者宅への派遣員の派遣サービス等のための管理用サーバとで機能分担が図れ、夫々の担当業者が設置するサーバの処理負担を軽減できる技術が提案されている（例えば、特許文献１参照）。
【特許文献１】特開２００４−２３４１３４号公報
【発明の開示】
【発明が解決しようとする課題】
【０００４】
しかしながら、上述した従来例においては次のような問題点があった。
【０００５】
派遣業務を前提にしているため、急な要望の際は迅速にベビーシッターを決定して希望の時間に来てもらうことは困難である。代わりとなる保育所は長期契約が必要となるため数時間の短期は受け付けてもらえず、また託児所はどこにでもあるわけでなく送り迎えも必要となる。親の子供を保護する義務を果たしていない問題も数々起こっており、例えば、パチンコなどのギャンブルに熱中するあまり車の中に放置した幼児が毎年死亡している現実から、気軽にベビーシッターによるサポートが求められている。
【０００６】
また、ベビーシッターの制度が海外のように日常的にできる環境はなく、大人と子供の活動の境界が海外ほど厳格ではないため習慣になっていないこともあるが、最近の周囲との付き合いが密接ではなくなって個人のプライバシーを重要視する社会では、信用できる人に子供の世話を委託するビジネスが必要になっている。
これを解決するためにインターネットでベビーシッター仲介業者による利用者とサービス提供側の意向を反映したベビーシッターの選出、インターネットにアクセスしたら即時に申込・照会・確認を行ない、遠隔地のベビーシッターも画像と音声による対話とＷｅｂコンテンツ共有化によってベビーシッター提供サービスを提供する。
【０００７】
そこで、本発明は、見守りを行なう者とその対象者が遠く離れたところにいても対面型のコミュニケーションをとることができる見守りシステム、サーバ、見守り情報提供方法およびプログラムを提供することを目的とする。
【課題を解決するための手段】
【０００８】
請求項１記載の発明は、ネットワークを介して接続されているユーザー端末と、提供者端末と、サーバと、を含む見守りシステムであって、利用者の希望のサービス提供者を選択し、画像、音声およびＷｅｂコンテンツ共有データの少なくとも１つを相互に確認しながら対面型の見守りサービス行なうことを特徴とする見守りシステムである。
【０００９】
請求項２記載の発明は、請求項１記載の見守りシステムにおいて、過去に利用したことがあれば、その時のデータを活用して、利用者の条件に適したサービス提供者を迅速に探すことを特徴とする。
【００１０】
請求項３記載の発明は、請求項１または２記載の見守りシステムにおいて、ユーザー端末である携帯電話からライブのモニタ映像を取得することを特徴とする。
【００１１】
請求項４記載の発明は、ネットワークを介して接続されているユーザー端末と、利用者の希望のサービス提供者を選択し、画像、音声およびＷｅｂコンテンツ共有データの少なくとも１つを相互に確認しながら対面型の見守りサービス行なうことを特徴とするサーバである。
【００１２】
請求項５記載の発明は、請求項４記載のサーバにおいて、過去に利用したことがあれば、その時のデータを活用して、利用者の条件に適したサービス提供者を迅速に探すことを特徴とする。
【００１３】
請求項６記載の発明は、ネットワークを介して接続されているユーザー端末と、提供者端末と、サーバと、を利用した見守り情報提供方法であって、利用者の希望のサービス提供者を選択し、画像、音声およびＷｅｂコンテンツ共有データの少なくとも１つを相互に確認しながら対面型の見守りサービス行なうことを特徴とする見守り情報提供方法である。
【００１４】
請求項７記載の発明は、請求項６記載の見守り情報提供方法において、過去に利用したことがあれば、その時のデータを活用して、利用者の条件に適したサービス提供者を迅速に探すことを特徴とする。
【００１５】
請求項８記載の発明は、請求項６または７記載の見守り情報提供方法において、ユーザー端末である携帯電話からライブのモニタ映像を取得することを特徴とする。
【００１６】
請求項９記載の発明は、利用者の希望のサービス提供者を選択させ、画像、音声およびＷｅｂコンテンツ共有データの少なくとも１つを相互に確認させる処理を実行することを特徴とするプログラムである。
【００１７】
請求項１０記載の発明は、請求項９記載のプログラムにおいて、過去に利用したことがあれば、その時のデータを活用して、利用者の条件に適したサービス提供者を迅速に探させることを特徴とする。
【００１８】
請求項１１記載の発明は、請求項９または１０記載のプログラムにおいて、ユーザー端末である携帯電話からライブのモニタ映像を取得させることを特徴とする。
【発明の効果】
【００１９】
本発明の見守りシステム、サーバ、見守り情報提供方法およびプログラムによれば、見守りを行なう者とその対象者が遠く離れたところにいても対面型のコミュニケーションをとることができる。
【発明を実施するための最良の形態】
【００２０】
次に、本発明の一実施の形態について図を参照して詳細に説明する。
【００２１】
まず、利用者は、サービスの申込みデータと対象者のデータを入力すると、対象者の世話を担当するサービス提供者情報が仲介事業者のデータベースから検索され、利用者は希望のサービス提供者を選択し、決定する。
【００２２】
見守り時間やサービス提供情報を指定した見守り受付データを元に見守りシステムが、対象者にとって有益となるコンテンツの自動送信を行ない、さらにサービス提供者が対象者とのインターネット経由で対話を行なうことによって、利用者が不在時において自宅で対象者の見守りや世話をする業務が代行して行われる。
【００２３】
図１を参照すると、利用者は、自宅のユーザー端末１０からＳＴＢ１１経由でインターネットに接続したのち見守りサービスサイトにアクセスし、会員登録した上で見守りサービスの申込みをすると、利用者の希望条件データを指定した見守り申込情報が仲介センターの受付サーバ４１へ送信される。なお、任意のネットワークであってよく、例えば、光ファイバ、インターネット、公衆回線、ＬＡＮ（Local Area Network）、ＡＤＳＬ（Asymmetric Digital Subscriber Line）等であってもよい。通信方法は、有線であっても、無線であってもよい。
【００２４】
仲介センターでは、利用者の希望条件を満たしたサービス提供者情報がデータベース４２で検索され、また希望条件を満たしたコンテンツがコンテンツサーバ４３内のデータから選択される。
【００２５】
指定の時間になると仲介センターのコミュニケーションサーバ４４を経由してサービス提供者の提供者端末２０と対象者が映像と音声によって対話可能な状態になるようカメラ・マイクが動作する。
【００２６】
同時にコンテンツプログラムスケジュールに従ってコンテンツサーバ４３から対象者のユーザー端末１０へコンテンツが送信される。
【００２７】
サービス提供者は、提供者端末２０からＩＰ電話機能を利用してユーザー端末１０を呼び出すことによって、コンテンツが表示されている間でも対象者と適宜対話することができる。
【００２８】
対話していないときでも対象者の状況を監視することができるので対象者へ呼びかけを行なうことができ、コンテンツの変更が必要なときはプログラムスケジュールに割り込んで別のコンテンツを挿入することができる。
【００２９】
対象者がＩＰ電話からコンテンツの再送を要求した場合に限って、サービス提供者の割り込み操作で対象者のユーザー端末１０へコンテンツが送信される。
【００３０】
サービス提供中は対象者によってＳＴＢ１１のブラウザ機能を不用意に操作ができないように設定されている。
【００３１】
指定した終了時刻までに予定されたプログラムスケジュールが全部終了すると、コンテンツは自動的に送信終了し、送信されたコンテンツの履歴がデータベース４２に登録される。
【００３２】
アクセス内容に関して、有料コンテンツの提供分とサービス提供者のサポート開始から終了までの時間に対応した見守りサービス対価が利用者へ請求される。
【００３３】
利用者はサービスを提供している間、自宅にいる対象者の状況をインターネットの動画配信サービス機能つきの携帯電話３０でどこにいても遠隔からモニタすることができる。
【００３４】
図１を参照すると、本実施の形態における見守りシステムは、ベビーシッターによる遠隔からの見守りサービスであり、利用者３（ここでは子供の親などベビーシッター利用者）が申し込んで対象者１（ここでは子供）が利用するユーザー端末１０とＳＴＢ１１、利用者３が常時使用する携帯電話３０、サービス提供者２（ここではベビーシッター）が使用する提供者端末２０、仲介業者４（ここではベビーシッター紹介業者）における見守りシステムとこれらを相互に接続する通信ネットワークであるインターネットや携帯網で構成されている。
【００３５】
利用者３はベビーシッターの申込みを行なうときは対象者１が使うユーザー端末１０から行なうが、仲介業者４からのコンテンツが提供されている間やサービス提供者２と対象者１がコミュニケーションしている間は携帯電話３０でネットワークに接続することができる。
【００３６】
ユーザー端末１０は、テレビで、インターネットに接続するときはＳＴＢ１１から映像と音声が供給される。利用者や対象者はテレビのリモコンボタンを操作することによって画面の切り替えや画面上の選択ボタンを決定する。
【００３７】
ＳＴＢ１１は、インターネットに接続し、ホームゲートウェイ機能を有したセットトップボックスでインターネット用のブラウザ機能を内蔵しユーザー端末１０に表示する。また、ＳＴＢ１１の電源は常時入力された状態で使用され、ＩＰ電話が利用できるように電話番号が割り当てられている。ＳＴＢ１１にカメラやマイクが内臓または接続されることにより画像入力機能と音声入力機能を備えており、インターネット上での映像・音声通信が可能である。
【００３８】
ユーザー端末１０としてＳＴＢ機能を内蔵したテレビでも利用できる。テレビのリモコンを操作することによってインターネットに接続し、仲介業者の見守りサービスを提供するＷｅｂにアクセスすると、ベビーシッター情報を画面上に表示する。ベビーシッター利用者は、ユーザー端末１０からベビーシッターを申し込む際に利用条件を選択できる機能を有している。
【００３９】
また、ユーザー端末１０は、仲介業者のコミュニケーションサーバ４４を経由してベビーシッターの提供者端末２０と通信することによってベビーシッターの画像をユーザー端末１０に表示し、ベビーシッターの音声をユーザー端末１０のスピーカから聞くことができる。
【００４０】
また、ベビーシッターの提供者端末２０からの操作によって指定したＷｅｂコンテンツ情報を表示する機能を有する。なお、ユーザー端末１０は主に自宅で利用される。
【００４１】
提供者端末２０は、パーソナルコンピュータ等の情報処理装置によって構成され、各端末はカメラやマイクを接続して画像入力機能と音声入力機能を備えている。
【００４２】
ユーザー端末１０からアクセスしてきたベビーシッター申込みデータを元に条件に適したサービス提供者が仲介業者のＷｅｂ上で通知されると、当該のベビーシッターは仲介業者のコミュニケーションサーバ４４を経由してユーザー端末と映像と音声によるＩＰ電話ができる。
【００４３】
コンテンツサーバ４３からコンテンツがユーザー端末１０に送信されているときにも、子供の状況を監視するために映像情報と音声情報が提供者端末２０へ送信される機能を有する。
【００４４】
携帯電話３０は、利用者が常時携帯しているインターネット接続機能付き携帯電話で、ベビーシッターの見守りサービスを依頼してから外出時などに子供である対象者の様子を確認するために、動画表示機能を有している。仲介業者の携帯電話用Ｗｅｂサイトにアクセスして利用者パスワードを入力すると見守り受付データが表示され、見守り中の動画サイトから子供の様子を見ることができる。
【００４５】
仲介業者の見守りシステムは、ＷＷＷサーバ４０、受付サーバ４１、データベース４２、コンテンツサーバ４３、コミュニケーションサーバ４４で構成される。
【００４６】
仲介業者のＷｅｂサイトは、テレビ利用者向けにベビーシッターの紹介や申込みを行なうサイト、テレビ向けのコンテンツ送信やテレビ電話ができる会員限定サイト、携帯電話向けに見守りデータや動画表示を提供する会員限定サイトを提供している。
【００４７】
ＷＷＷサーバ４０は、仲介業者内ＬＡＮ経由で受付サーバ４１、コンテンツサーバ４３、コミュニケーションサーバ４４と接続され、外部とはインターネットで接続されるコンピュータである。
【００４８】
ユーザー端末１０や提供者端末２０へベビーシッターの紹介や申込みデータをＷｅｂ情報として配信する機能、ユーザー端末１０から入力された利用者の見守りサービス申し込みデータを受付サーバ４１へ送信する機能、ユーザー端末１０や提供者端末２０からの映像・音声情報をコミュニケーションサーバ４４へ送信する機能、コンテンツサーバ４３にあるＷｅｂコンテンツをインターネット経由でユーザー端末１０へ配信する機能、インターネット接続機能付き携帯電話３０に対して見守り受付データや対象者の動画情報をＷｅｂ情報として配信する機能を有する。
【００４９】
受付サーバ４１は、仲介業者内ＬＡＮ経由でＷＷＷサーバ４０、データベース４２、コンテンツサーバ４３、コミュニケーションサーバ４４と接続されるコンピュータである。
【００５０】
ユーザー端末１０からＳＴＢ１１経由で入力された見守りサービス申込みデータを受付処理する機能、ユーザー端末１０から申し込まれたデータから適するベビーシッターを検索し、ユーザー端末へ提供する機能、ユーザー端末１０によって決定された見守り受付データをデータベースへとコンテンツサーバ４３へ送信する機能を有する。
【００５１】
データベース４２は、仲介業者内ＬＡＮ経由で受付サーバ４１と接続され、サービス提供者および見守り受付データを登録する機能を有するコンピュータである。
【００５２】
コンテンツサーバ４３は、仲介業者内ＬＡＮ経由でＷＷＷサーバ４０、受付サーバ４１、コミュニケーションサーバ４４と接続されるコンピュータである。見守り受付データに指定されたコンテンツプログラムスケジュールに従ってコンテンツサーバ４３から対象者のユーザー端末１０へコンテンツが送信される機能を有する。
【００５３】
コミュニケーションサーバ４４は、仲介業者内ＬＡＮ経由でＷＷＷサーバ４０、受付サーバ４１、コンテンツサーバ４３と接続されるコンピュータである。見守り受付データが確定すると、ベビーシッターの提供者端末２０からコンテンツサーバ４３を経由して対象者のユーザー端末１０と映像・音声によるコミュニケーションを可能にする機能を有する。
【００５４】
次に、図１〜７を参照して本実施の形態におけるシステムの処理動作について詳細に説明する。
【００５５】
図２を参照すると、利用者は、自分のユーザー端末１０から、仲介業者がインターネット上に開設しているベビーシッター提供サービスのホームページがあるＷＷＷサーバ４０にアクセスし、ベビーシッターの申込みページにアクセスする（ステップ１−１）。
【００５６】
ベビーシッター情報を検索するために受付サーバ４１から申込みフォームがユーザー端末１０に提供される（ステップ１−２）。
【００５７】
ベビーシッターを希望する時間、コンテンツプログラム、子供の興味ある遊び、希望するベビーシッターの条件を選択して受付サーバ４１へ送信する（ステップ１−３）。
【００５８】
仲介業者の受付サーバ４１は利用者が希望するベビーシッターのサービス申込みデータをデータベース４２へ送信する（ステップ１−４）。
【００５９】
サービス申込みデータの例を図３に示す。
【００６０】
データベース４２には仲介業者に登録されているベビーシッターのスケジュールが登録されており、サービス申込みデータから適するベビーシッター情報が検索され、条件に適したベビーシッターのデータが受付サーバ４１へ送信される（ステップ１−５）。
【００６１】
ユーザー端末１０では申し込みデータに適合したベビーシッターのデータから利用者が希望するベビーシッターを一つだけ選択すると、サービススケジュール、コンテンツプログラム、担当するベビーシッターを指定した見守り受付データが決定され、ユーザー端末１０、提供者端末２０によってＷｅｂ上で確認することができる（ステップ１−６）。
【００６２】
見守り受付データの例を図４に示す。
【００６３】
見守り受付データは、コンテンツサーバ４３とコミュニケーションサーバ４４へ送信される（ステップ１−７）。
【００６４】
ベビーシッターは、提供者端末２０からユーザー端末１０に接続しているＳＴＢ１１に指定されているＩＰ電話の電話番号を入力しコミュニケーションサーバ４４を経由してユーザー端末１０を呼び出す（ステップ１−８）。
【００６５】
ユーザー端末１０は、提供者端末２０とのＩＰ電話による回線接続のプロトコルが完了すると、ユーザー端末１０の画面には提供者端末２０のベビーシッターの映像が表示され、同時にマイクを通しての通話ができるようになり、サービス開始時間データが受付サーバ４１へ送られる（ステップ１−９）。
【００６６】
図５を参照すると、見守り受付データが更新され、コンテンツサーバ４３はサービススケジュールのコンテンツプログラムにしたがってユーザー端末１０へコンテンツを自動で送信する（ステップ１−１０）。
【００６７】
この時、ベビーシッターは受付サーバ４１にあるコンテンツプログラムとコミュニケーションサーバ４４を経由して、対面している対象者の反応を確認しながら、提供者端末２０からコンテンツの配信をコンテンツサーバ４３に対して調整することができる。
【００６８】
この時、ユーザー端末１１からコンテンツの操作はできないようにコンテンツサーバ４３で設定されている（ステップ１−１１）。
【００６９】
クイズやゲームなどの対面型の操作が必要な場合は提供者端末２０にコンテンツサーバ４３のデータを表示させてベビーシッターがユーザー端末１０へのデータ送信を操作する（ステップ１−１２）。
【００７０】
利用者は、外出先等において自分の携帯電話３０からインターネットに接続してパスワードを送信し仲介業者の受付サーバ４１の見守り受付データを確認することができる（ステップ１−１３）。
【００７１】
見守り受付データのサービススケジュールからサービス中の場合はコミュニケーションサーバ４４にアクセスして対象者の動画を携帯電話３０から見ることができる（ステップ１−１４）。
【００７２】
図６を参照すると、サービススケジュールをもとにサービス終了時間になるとコンテンツサーバ４３からコンテンツ送信の終了データがユーザー端末１０と提供者端末２０へ送信される（ステップ１−１５）。
【００７３】
ベビーシッターは提供者端末２０からユーザー端末１０の対象者に対して映像と音声でサービスの終了を告知し、コミュニケーションサーバ４４へ回線の切断を実行する（ステップ１−１６）。
【００７４】
この時、コミュニケーションサーバ４４からサービス終了データが受付サーバ４１の見守り受付データに送られる（ステップ１−１７）。
【００７５】
見守り受付データがデータベース４２へ送られると以前のデータが更新され、サービス時間、有料コンテンツの配信費用が計算されることによってサービス料が算出される（ステップ１−１８）。
【００７６】
請求額は受付サーバ４１の見守り受付データに追記されると共に利用者の携帯電話３０などにメールで告知される（ステップ１−１９）。
【００７７】
この時の見守り受付データの例を図７に示す。
【００７８】
上記の実施の形態によれば、子供を持つ親にとって急な用事ができ、子供を独りにすることができずに、また連れても行けずに世話をしてくれる人を探すことになるが、早急にベビーシッターを探している親などの利用者が、仲介業者から希望条件に見合ったベビーシッターを即座に照会してもらえる。
【００７９】
また、子供の希望や親の要望に見合ったコンテンツが提供され、ベビーシッターとの双方向でのコンテンツ利用が可能である。またサービス料金を決定するに当たって、決定したベビーシッターと回線が接続してから終了するまでの時間が業務時間としてカウントされるように入力されたデータに応じたサービスが提供される。
【００８０】
また、子供の世話を行なった内容をデータベース化しておくことによって、その子供の好みや遊びの内容をベビーシッター側が把握することができ、次回のサービス時に活用することができより満足度の高いサービスが提供される。
【００８１】
また、子供の様子を利用者が確認したいときは、テレビ電話用のカメラが子供の様子をライブで見ることができ安心して利用者は自分の業務を継続することができる。
【００８２】
なお、上述する各実施の形態は、本発明の好適な実施の形態であり、本発明の要旨を逸脱しない範囲内において種々変更実施が可能である。例えば、上記の実施の形態におけるユーザー端末１０、提供者端末２０、携帯電話３０、ＷＷＷサーバ４０、受付サーバ４１、コンテンツサーバ４３およびコミュニケーションサーバ４４の機能を実現するためのプログラムを各装置等に読込ませて実行することにより本システムの機能を実現する処理を行なってもよい。さらに、そのプログラムは、コンピュータ読み取り可能な記録媒体であるＣＤ−ＲＯＭまたは光磁気ディスク等を介して、または伝送媒体であるインターネット、電話回線等を介して伝送波により他のコンピュータシステムに伝送されてもよい。
【００８３】
上述する各実施の形態は、ユーザー端末１０、提供者端末２０、携帯電話３０、ＷＷＷサーバ４０、受付サーバ４１、コンテンツサーバ４３およびコミュニケーションサーバ４４が別個に接続されているシステム構成について説明したが、各機能が１つのコンピュータシステムとして実現されている構成や機能毎に複数のサーバ装置等が追加された構成にも適用可能であることはもちろんである。
【００８４】
上記の実施の形態では自宅での遠隔によるベビーシッターサービスの例を示しているが、旅行中などホテルに滞在するときにインターネットが接続されているデジタルテレビがあればこのサービスが利用できる。なお、サービス利用料はホテルの宿泊料にカウントすることになる。
【００８５】
また、ベビーシッターではなく介護事業者や社会福祉団体がホームヘルパーを派遣することなく、高齢者支援を実施することに適用できる。対象となる高齢者は要支援の程度が比較的軽い高齢者の運動や脳の活性化に利用することができる。
【図面の簡単な説明】
【００８６】
【図１】本発明の実施形態における見守りシステムの概略構成図である。
【図２】本発明の実施形態における処理動作を示すシーケンス図である。
【図３】サービス申込みデータの一例を示す図である。
【図４】見守り受付データの一例を示す図である。
【図５】本発明の実施形態における処理動作を示すシーケンス図である。
【図６】本発明の実施形態における処理動作を示すシーケンス図である。
【図７】見守り受付データの一例を示す図である。
【符号の説明】
【００８７】
１０    ユーザー端末
１１    ＳＴＢ
２０    提供者端末
３０    携帯電話
４０    ＷＷＷサーバ
４１    受付サーバ
４２    データベース
４３    コンテンツサーバ
４４    コミュニケーションサーバ
【図１】
2006235978.tif 000003
【図２】
2006235978.tif 000004
【図３】
2006235978.tif 000005
【図４】
2006235978.tif 000006
【図５】
2006235978.tif 000007
【図６】
2006235978.tif 000008
【図７】
2006235978.tif 000009